(57)【要約】【課題】マンション、その他の玄関ドアー等のドアーの開閉について、不意の訪問者等からの防犯に対処することにある。【解決手段】施錠具を装着してドアー２をドアー開口枠３の側端側に向かって開閉自在に配設した玄関ドアー等のドアー装置１であって、上記ドアー２の開閉側の内側に所定の狭幅の補助ドアー４の一側端部を連結するとともに、ドアー開口枠３の開閉側の側端の内側部に補助ドアー４の他側端部を連結して、ドアー２を開くときにドアー２とドアー開口枠３との間の開口部１４に補助ドアー４が仕切りとなったリンク接続状態でドアーが開くようにしている。そしてまた、室内側から室外を視認できるように上記補助ドアー４を格子戸状等に形成したものである。【選択図】      図１
2004316228.tif 000002
【特許請求の範囲】
【請求項１】
施錠具を装着してドアーをドアー開口枠の側端側に向かって開閉自在に配設した玄関ドアー等の防犯用ドアー装置であって、
上記ドアーの開閉側の内側に所定の狭幅の補助ドアーの一側端部を連結するとともに、ドアー開口枠の開閉側の側端の内側部に補助ドアーの他側端部を連結するようにして、ドアーを開くときにドアーとドアー開口枠との間の開口部に補助ドアーが仕切りとなるリンク接続状態でドアーが開くようにし、
室内側から室外を視認できるように上記補助ドアーを格子戸状等に形成したことを特徴とする防犯用ドアー装置。
【請求項２】
補助ドアーの両側端部をドアーの一側端部とドアー開口枠の一側端部にそれぞれ回転可能に連結するとともに、補助ドアーの一側端部をドアーの開閉に対応して開閉可能にドアーの一側端部またはドアー開口枠の一側端部に摺動可能に配設した請求項１に記載の防犯用ドアー装置。
【請求項３】
補助ドアーを折り畳み可能に形成して、この補助ドアーの両側端部をドアーとドアー開口枠の一側端部にそれぞれ回転可能に連結した請求項１に記載の防犯用ドアー装置。
【請求項４】
補助ドアーの一側端部をドアーの一側端部またはドアー開口枠の一側端部に着脱可能に配設するとともに、補助ドアーの幅を宅配便等の配送物の大きさよりもやや広く形成し、この補助ドアーの一部に荷受け用の開閉窓を開閉可能に配設した請求項１ないし３のいずれかに記載の防犯用ドアー装置。
【請求項５】
ドアーの施錠具のピッキングを防止するために、ドアーの施錠具をロッキング状態とするロック具を補助ドアーに配設した請求項１ないし４のいずれかに記載の防犯用ドアー装置。
【発明の詳細な説明】
【０００１】
【発明が属する技術分野】
本発明は、建物分野におけるマンションや一戸建て、その他の玄関ドアー等の防犯用ドアー装置に関するものである。
【０００２】
【従来の技術】
近年、宅配や訪問販売と装ってマンションや一戸建て等の家を訪問し、一旦玄関ドアーを開けると不要な来訪者を追い返すことが困難となったり、ときとして強盗の危険に合うこともある。
【０００３】
そのため、玄関ドアーのドアースコープやテレビカメラ等で来訪者を確認することも実施されているが、来訪者の全体像の確認が容易かつ十分にできず、またドアーチェーンでのドアーの開きではドアーとドアー開口枠との開口部が僅かなので、配送物等を受け取ることができずに、ドアーを開けなければならなくなり、防犯対策が難しいことの原因になっていた。
【０００４】
【先行技術文献】
そのため、玄関ドアーの防犯に関して特許調査を行った。その結果、特開平９−３１７３４号公報、特開平１０−２２７１８６号公報が検索された。
【０００５】
前者の特開平９−３１７３４号公報では、外側ドアーと一体になって解放し得る内側ドアーを備えて、来訪者に対して内側ドアーだけの開放で対応できるようにした防犯用二重ドアーが提案されている。また、後者の特開平１０−２２７１８６号公報では、ドアー本体の中央部に開口部を開口し、この開口部に室内側から開閉する補助扉を設け、補助扉を開いて郵便物や荷物を受け取りすることが提案されている。
【０００６】
【発明が解決しようとする課題】
しかし、両者ともドアーに開口して内側ドアーを配設するため、新規なドアーには対応できても、既設のドアーには対応することが難しく、またドアーを開いて安全に来訪者の全体像を容易にかつ十分に確認して対応することができるものでなかった。
【０００７】
【課題を解決するための手段】
本発明は、上記のような点に鑑みたもので、上記の課題を解決するために、施錠具を装着してドアーをドアー開口枠の側端側に向かって開閉自在に配設した玄関ドアー等の防犯用ドアー装置であって、上記ドアーの開閉側の内側に所定の狭幅の補助ドアーの一側端部を連結するとともに、ドアー開口枠の開閉側の側端の内側部に補助ドアーの他側端部を連結するようにして、ドアーを開くときにドアーとドアー開口枠との間の開口部に補助ドアーが仕切りとなるリンク接続状態でドアーが開くようにし、室内側から室外を視認できるように上記補助ドアーを格子戸状等に形成したことを特徴とする防犯用ドアー装置を提供するものである。
【０００８】
【発明の実施の形態】
本発明の防犯用ドアー装置は、施錠具を装着してドアーをドアー開口枠の側端側に向かって開閉自在に配設した玄関ドアー等の防犯用ドアー装置であって、上記ドアーの開閉側の内側に所定の狭幅の補助ドアーの一側端部を連結するとともに、ドアー開口枠の開閉側の側端の内側部に補助ドアーの他側端部を連結するようにして、ドアーを開くときにドアーとドアー開口枠との間の開口部に補助ドアーが仕切りとなるリンク接続状態でドアーが開くようにし、室内側から室外を視認できるように上記補助ドアーを格子戸状等に形成したことを特徴としている。
【０００９】
防犯用ドアー装置１は、図１（ａ）、（ｂ）のように玄関用等のドアー２とそのドアー開口枠３とに補助ドアー４を連結し、来訪者が来てドアー２を開けても補助ドアー４で室外側と室内側とを仕切れて防犯に対処できるようにしている。
【００１０】
上記補助ドアー４は、図１（ａ）、（ｂ）のように宅配便等の配送物よりもやや幅広い所定の狭幅のものとしていて、剛性の枠体５に少なくとも上半分が格子やルーバー６等を設けて室内側から室外を視認できる格子戸状等の防犯がはかれる構造とするのが好ましい。また、特に下半分側に宅配便等の配送荷物の荷受け用の開閉窓７を内側から開閉可能に設けるのが好ましい。
【００１１】
この補助ドアー４は、図１、図２のようにその両側端の上下に軸支部８、９をそれぞれ突設し、ドアー２の開閉側の側端の内側部およびドアー開口枠３の開閉側の側端の内側部の上下に係止用軸受部１０、１１をそれぞれ設けて、上記した軸支部８、９を嵌装して補助ドアー４を連結するようにしている。
【００１２】
そして、図１、図２のようにドアー２の上下部に所定の長さのスライドガイド１２、１３を配設して、上記したドアー２側の係止用軸受部１０、１１を摺動可能に装着し、図１（ａ）のようにドアー２の開閉に対応して補助ドアー４をドアー２とドアー開口枠３との間の開口部１４を仕切り状態に位置するようにし、ドアー２を開けても補助ドアー４で室内側と室外側を確実に仕切れて防犯の役割を果たせるようにしている。
【００１３】
なお、係止用軸受部１０、１１を円柱形状として転動可能にスライドガイド１２、１３に嵌装するのが好ましいが、省略することも可能である。また、スライドガイド１２、１３には、補助ドアー４の開閉量を制限したり、調整する位置ストッパーを配設して、補助ドアー４の開閉量を調整するようにできる。
【００１４】
また、上記補助ドアー４の一側端側の軸支部８、９を、図３のように係脱レバー１５に連動するようにリンク接続し、係脱レバー１５の操作で、ドアー開口枠３の係止用軸受部１０、１１に係脱可能として、この係止用軸受部１０、１１との係止状態を解除したときにはドアー２を従来と同じようにドアー開口枠３に開閉自在にできるようにしている。その際、補助ドアー４を適宜の係止部（図示せず）等を介してドアー２に係止しておくようにするのが好ましい。なお、補助ドアー４のドアー２の施錠用のノブ１６との衝突部分については、図１、図２のように切欠部１７を設けるなど適宜の手段を抗じることができる。
【００１５】
またさらに、図４（ａ）のようにドアー２の施錠具１８の内側の施錠部１９に施錠部１９を挟持してロック状態とするロック具２０を補助ドアー４に摺動自在や旋回自在に配設し、ドアー２の施錠具１８のピッキング防止をはかれるようにして、より防犯手段を抗じることもできる。なお、施錠部１９を挟持できない場合には、施錠部１９にカバーをしたりするなど、有効な適宜の手段を施すことができる。
【００１６】
図４（ｂ）のようにロック具２０をモーター等のオートロック部２１を配設して、ドアー２の外部から遠隔制御でコントローラー２２を駆動してロック具２０をロック状態としたり、ロック解除するようにすることもできる。
【００１７】
図５（ａ）、（ｂ）は、上記した補助ドアー４について、その摺動用のスライドガイド１２、１３をドアー開口枠３側の側壁２３側に配設したもので、このように必要に応じてドアー側またはドアー開口枠側を摺動可能に配設するようにできる。
【００１８】
また、図６（ａ）、（ｂ）は、上記した補助ドアー４の上下部にスライドガイド１２、１３を設け、ドアー開口枠３側に軸支部８、９をスライドガイド１２、１３に対抗して係脱可能に配設し、図５（ｃ）のように補助ドアー４のスライドガイド１２、１３をドアー開口枠３側に軸支部８、９に係合して補助ドアー４を仕切り状態とするようにしたものである。
【００１９】
また、図７（ａ）、（ｂ）は、補助ドアー４を折り畳み可能に形成して、この補助ドアー４の両側端部を上記のようにドアー２の開閉側の側端部およびドアー開口枠３の内側部の上下の係止用軸受部１０、１１に装着（一側端部は着脱可能に）するようにしたものである。
【００２０】
また、図８は、補助ドアー４をロールシャッターのようなフレキシブルな構造として、ドアー開口枠３の内側部にロールシャッター状の補助ドアー４を巻回して縦状に配設し、この補助ドアー４の自由端部をドアー２の開閉側の側端部に上記のような手段等で着脱可能に連結するようにしたものである。
【００２１】
その他、本発明の趣旨にもとづいて平行拡縮格子などの補助ドアーを形成するなど、適宜な変更実施態様が可能であり、マンションや一戸建ての家の玄関ドアーに限らず、その他のドアーにも適用可能である。
【００２２】
【実施例】
図１〜図４は、本発明のマンション等の玄関ドアーの一実施例を示すものである。補助ドアー４をアルミ材や鉄材で４００ｍｍ幅とし、周囲の枠体５内の上半部にルーバー６を一体的に形成し、下半部に３００×２８０ｍｍ角の開閉窓７を内側から開閉可能に配設し、両側端部に棒状の軸支部８、９を補助ドアー４の高さのほぼ２分の１として内装するとともに、図３のように軸支部８、９の内側端を係脱レバー１５に突き出し、引っ込め自在にリンク接続したものである。
【００２３】
そして、この補助ドアー４を両側端の上下の軸支部８、９を板状としたドアー２の内側面の上下に配設した断面コ字状のスライドガイド１２、１３とドアー開口枠３の開閉側の内側の係止用軸受部１０、１１にそれぞれ嵌装し、ドアー２の開閉に対応してドアー２とドアー開口枠３との間に補助ドアー４が仕切りとして位置するようにしている。なお、補助ドアー４の中程部を円弧状の切欠部１７として、ドアー２のノブ１６に衝突しないようにして円滑に開閉できるようにしている。
【００２４】
また、図４（ａ）、（ｂ）のように補助ドアー４にドアー２の施錠部１９を挟持してロック状態とするロック具２０を摺動自在に配設し、ドアー２の施錠具１８のピッキング防止をはかれるようにしたものである。
【００２５】
そのため、不意の宅配や訪問販売者等が来て、施錠を解除してドアー２を開けなければならなくなっても、図１（ａ）のようにドアー２とドアー開口枠３との間に補助ドアー４が仕切りとして位置し、かつ補助ドアー４のルーバー６を介して室外を十分に視認することができ、また来訪者との会話も聞き取れ、不意をつかれることなく、冷静に判断して対応でき、防犯に対処することができる。
【００２６】
また、補助ドアー４が不必要な場合には、係脱レバー１５を操作すると、軸支部８、９を引っ込めるようにできて係止用軸受部１０、１１から解除でき、補助ドアー４をドアー１側の係止部に係止したりして、ドアー２を従来のように開閉するようにできる。
【００２７】
さらに、補助ドアー４のロック具２０でドアー２の施錠部１９をロック状態にできて、ピッキング防止に対処することもでき、一層の防犯に対処することができる。
【００２８】
図５（ａ）、（ｂ）は、本発明の他の実施例で、前実施例の補助ドアー４のスライドガイド１２、１３をドアー開口枠３の内側の側壁２３に配設したものである。このようにしても、前記のように防犯等に対処できる。
【００２９】
また、図６（ａ）〜（ｃ）は、本発明のさらに他の実施例を示すものである。本実施例では、補助ドアー４の上下部にスライドガイド１２、１３を設け、ドアー開口枠３側に軸支部８、９をスライドガイド１２、１３に対抗して係脱可能に配設したものである。本実施例のように補助ドアー４にスライドガイド１２、１３を装着して軸支部８、９を係合させるようにして行うこともできるものである。
【００３０】
また、図７（ａ）、（ｂ）は、本発明のさらに他の実施例を示すものである。本実施例では、補助ドアー４を折り畳み可能に形成して、その両側端部の上下の軸支部８、９をドアー２の開閉側の側端部、ドアー開口枠３の内側部の上下に配設した係止用軸受部１０、１１に装着するようにしたものである。本実施例にあっては、スライドガイドが必要でなくなったり、簡単な補助ドアーの構成にできる。
【００３１】
図８は、本発明のさらに他の実施例を示すもので、補助ドアー４をロールシャッターのように短冊材を接合してフレキシブルな構造とし、巻回してドアー開口枠３の内側部に縦状に配設し、この補助ドアー４の自由端部をドアー２の開閉側の側端部に着脱可能に連結するようにしたものである。このように補助ドアーとしては、一枚状、折り畳み状、ロール状、さらに平行伸縮リンク状のものなど、需要者の好みにより適宜に対応するようにでき、かつドアーに合わせた適宜なフアッショナブルなデザインとすることができるものである。
【００３２】
【発明の効果】
以上のように本発明にあっては、不意の宅配や訪問販売者等が来てドアーを開けなければならなくなっても、ドアーとドアー開口枠との間に補助ドアーが仕切りとして位置し、かつ補助ドアーの格子の間を介して室外を十分に視認することができ、不意をつかれることなく、冷静に判断して対応でき、防犯に対処することができる。また、ドアーを開けてことによって、来訪者の声を正確に聞き取れるようにでき、さらに既存のドアー装置にも容易に適用することもできる。
【００３３】
特に、補助ドアーの両側端部をドアーの一側端部とドアー開口枠の一側端部にそれぞれ回転可能に連結するとともに、補助ドアーの一側端部をドアーの開閉に対応して開閉可能にドアーの一側端部またはドアー開口枠の一側端部に摺動可能に配設することによって、ドアーとドアー開口枠との間に補助ドアーを仕切りとして位置するようにできる。
【００３４】
また、補助ドアーを折り畳み可能に形成して、この補助ドアーの両側端部をドアーとドアー開口枠の一側端部にそれぞれ回転可能に連結することによって、スライドガイドを必要でなくなって、より簡単な補助ドアーの構成にできる。
【００３５】
また、補助ドアーの一側端部をドアーの一側端部またはドアー開口枠の一側端部に着脱可能に配設することによって、補助ドアーが不必要な場合には、係脱レバー等を操作して補助ドアーをドアー側に係止したりしてドアーを従来のように開閉するようにできる。さらに、補助ドアーの幅を宅配便等の配送物の大きさよりもやや広く形成し、この補助ドアーの一部に荷受け用の開閉窓を開閉可能に配設することによって、ドアーとドアー開口枠との間に補助ドアーが仕切りとして位置しても、補助ドアーに設けた開閉窓を開閉して配送物を受け取ることができ、より防犯に対処することができる。
【００３６】
さらにまた、ドアーの施錠具のピッキングを防止するために、ドアーの施錠具をロッキング状態とするロック具を補助ドアーに配設することによって、補助ドアーを介してドアーの施錠具をピッキングされるのを防止することができる。
【図面の簡単な説明】
【図１】本発明の一実施例の玄関ドアー装置の説明用斜視図（ａ）と内面図（ｂ）、
【図２】同上の開閉説明用の平断面図、
【図３】同上の補助ドアーの軸支部の係脱説明用図、
【図４】同上のドアーの施錠具のピッキング防止説明図（ａ）、（ｂ）、
【図５】同上の他の実施例の説明用平断面図（ａ）、（ｂ）、
【図６】同上のさらに他の実施例の内面図（ａ）、開閉説明用平断面（ｂ）、（ｃ）、
【図７】同上のさらに他の実施例の説明用平断面図（ａ）、（ｂ）、
【図８】同上のさらに他の実施例の説明用平断面図。
【符号の説明】
１…防犯用ドアー装置          ２…ドアー      ３…ドアー開口枠
４…補助ドアー                ６…格子        ７…開閉窓
８、９…軸支部    １０、１１…係止用軸受部    １２、１３…スライドガイド
１４…開口部                １９…施錠具      ２０…ロック具
【図１】
2004316228.tif 000003
【図２】
2004316228.tif 000004
【図３】
2004316228.tif 000005
【図４】
2004316228.tif 000006
【図５】
2004316228.tif 000007
【図６】
2004316228.tif 000008
【図７】
2004316228.tif 000009
【図８】
2004316228.tif 000010